(57)【要約】【課題】  暗い夜道での歩行者や自転車などでの走行者の交通安全にも寄与し得る交通安全兼防犯ブザーを提供すること。【解決手段】  ブザー本体１に、反射発光機能を付与した吊り下げ用の紐状体３を取り付けて構成した。また、ブザー本体１を、その表面から反射光を放射可能に形成するとともに、前記ブザー本体１に、反射発光機能を付与した吊り下げ用の紐状体３を取り付けた構成としている。【選択図】      図１
0003102562.tif 000002
【実用新案登録請求の範囲】
【請求項１】
ブザー本体（１）に、反射発光機能を付与した吊り下げ用の紐状体（３）を取り付けたことを特徴とする交通安全兼防犯ブザー。
【請求項２】
ブザー本体（１）を、その表面から反射光を放射可能に形成するとともに、前記ブザー本体（１）に、反射発光機能を付与した吊り下げ用の紐状体（３）を取り付けたことを特徴とする交通安全兼防犯ブザー。
【考案の詳細な説明】
【技術分野】
【０００１】
本考案は、交通安全兼防犯ブザーに係り、さらに詳しくは防犯ブザー吊り下げ用の紐状体に反射発光機能を持たせ、暗い夜道で反射光を放射するようにした交通安全兼防犯ブザーに関する。
【背景技術】
【０００２】
従来から児童，生徒，婦女子や集金員などに、防犯ブザーの携行が奨励されている。また、従来の防犯ブザーには、防犯上簡便に機能させるための色々な工夫が施されている。
【０００３】
しかしながら、従来の防犯ブザーは身の危険を感じた時にスイッチをＯＮすることにより、強力なアラーム音を発するので、防犯上は相応の効果を発揮するものの、暗い夜道での歩行者や自転車などでの走行者の交通安全については配慮されていない。
【考案の開示】
【考案が解決しようとする課題】
【０００４】
本考案において解決しようとする課題は、暗い夜道での歩行や自転車などでの走行時の交通安全にも寄与し得る交通安全機能をも兼ね備えた防犯ブザーを提供しようとするものである。
【課題を解決するための手段】
【０００５】
本考案は、前記課題を解決するため、ブザー本体１に、反射発光機能を付与した吊り下げ用の紐状体３を取り付けている。
【０００６】
また、本考案は前記課題を解決するため、ブザー本体１を、その表面から反射光を放射可能に形成するとともに、前記ブザー本体１に、反射発光機能を付与した吊り下げ用の紐状体３を取り付けている。
【考案の効果】
【０００７】
本考案では、ブザー本体１に取り付けられた紐状体３に反射発光機能を付与している。この紐状体３を首や肩に掛けてブザー本体１を吊り下げて携行し、または紐状体３を握ってブザー本体１をぶら下げて携行した使用状態において、自動車等のライトが当たると、紐状体３から反射光が発せられる。したがって、ブザー本体１を携行すると、暗い夜道であっても、自動車のドライバー等が歩行者や自転車などでの走行者を比較的遠方からでも視認できるので、自動車のドライバー等に注意を喚起することができる。これにより、防犯ブザーを本来の防犯上の利用のほかに、交通安全にも活用できる効果がある。
【０００８】
また、本考案ではブザー本体１と紐状体３とに反射発光機能を付与している。したがって、紐状体３を介してブザー本体１を首や肩から吊り下げて携行し、または紐状体３を握ってぶら下げて携行すると、暗い夜道で自動車等のライトが当たるとブザー本体１および紐状体３から反射光が発せられるので、夜間での交通安全上、より一層大きな効果を発揮する。
【考案を実施するための最良の形態】
【０００９】
以下、本考案の実施例を図面に基づいて説明する。
【実施例１】
【００１０】
図１は本考案交通安全兼防犯ブザーの実施例１を示す平面図、図２は吊り下げ用の紐状体の一部分の拡大図、図３は使用状態の一例を示す説明図である。
【００１１】
この実施例１の交通安全兼防犯ブザーは、ブザー本体１の一端部に、通電用のスイッチ２が設けられている。このスイッチ２は、本実施例ではブザー本体１から引く抜くとＯＮ作動するようになっている。なお、このブザー本体１内には周知のように電源用の電池、警報音発生手段（いずれも図示せず）等が内蔵されるなどして構成されている。
【００１２】
前記ブザー本体１の一端側には、リング状のスナップ５を介して吊り下げ用の紐状体３の一端部が結合されている。
【００１３】
前記紐状体３は、この実施例では編紐，組紐，その他の製造方法で作製された紐の表面に、適宜の間隔をおいて例えば縞状に、反射材，発光材または蓄光材により反射発光層４が施されている。これにより、紐状体３に反射発光機能が付与されている。
【００１４】
なお、紐状体３を編みまたは組んで作製する際に、反射発光性を持った紐を一緒に編みまたは組んで、紐状体３に反射機能を付与してもよい。また、表面全体が発光するように構成しても良い。この紐状体３は伸縮しない材質にて構成されるが、必ずしもこれに限定されるものではない。
【００１５】
前記紐状体３の他端部には、ホルダ６が取り付けられている。このホルダ６は、前記リング状のスナップ５に掛け止め得るようになっている。しかして、前記スナップ５にホルダ６を掛け止めることによって、紐状体３をループ状に形成し得るようになっている。
【００１６】
また、ブザー本体１の他端側にはチェーン７が取り付けられている。このチェーン７の端部には、フック８が設けられている。そして、このフック８を例えばベルトもしくはベルト通し、またはショルダーバッグのベルトなどに掛け止め、チェーン７を介してブザー本体１を携行者側等に結合し得るようになっている。
【００１７】
前述のごとく構成した交通安全兼防犯ブザーを使用する場合は、図３に示す例では紐状体３を首に掛け回し、スナップ５にホルダ６を掛け止め、ループ状の紐状体３を介してブザー本体１を首に吊り下げて携行する。
【００１８】
または、肩に吊り下げて携行してもよい。また、ループ状に形成した紐状体３を握って携行し、ホルダ８をベルトやベルト通し、またはショルダーバッグのベルトなどに掛け止め、チェーン７を介してブザー本体１を携行者側に結合して使用してもよい。また、自転車のハンドルにループ部分を掛け回し、ホルダ８側をバッグに取り付けたり、ホルダ８を例えば自分のベルトに取り付け、ブザー本体１側をバッグ内にしのばせ、バッグがひったくられるとチェーン７が外れ、バッグ内のブザー本体１がけたたましく警報音を発するようにしても良い。
【００１９】
前述の使用状態において、暗い夜道での歩行または自転車などによる走行時に、自動車等のライトが当たると、紐状体３から反射光が発せられる。したがって、自動車のドライバなどが比較的遠方から歩行者または自転車などによる走行者を視認することができる。これにより、自動車のドライバなどに注意を喚起することができるので、防犯ブザーを本来の防犯上に利用することのほかに、暗い夜道において歩行者や自転車などでの走行者の交通安全にも活用することができる。
【実施例２】
【００２０】
図４は本考案交通安全兼防犯ブザーの実施例２を示す平面図である。
【００２１】
この図４に示す実施例２では、ブザー本体１の表面に、反射発光層１０が施されていて、ブザー本体１にも反射発光機能が付与されている。
【００２２】
前記反射発光層１０は、ブザー本体１の表面に、例えば反射発光性を持った塗料を塗布して形成してもよく、反射発光性を持ったシールを貼り付けて形成してもよい。さらには、ブザー本体１の成形時に、反射発光性を持った材料を混入して形成してもよい。
【００２３】
前記ブザー本体１には、スイッチ２を介して、やや幅の広い帯状の紐状体３が取り付けられている。この帯状の紐状体３にも、反射発光層４が施されている。
【００２４】
前述のごとく構成した実施例２の交通安全兼防犯ブザーでは、紐状体３を例えばループ状にして首や肩に掛けて携行し、または紐状体３を握って携行した使用状態において、暗い夜道で自動車等のライトが当たると、ブザー本体１および紐状体３から反射光が発せられる。
【００２５】
前述のごとく、この実施例２ではブザー本体１および紐状体３から反射光が発せられるので、暗い夜道での歩行者や自転車等での走行者を、比較的遠方からより一層明確に視認でき、したがって交通安全上、より一層大きな効果を発揮する。
【００２６】
なお、この実施例２の他の構成，作用については、前記実施例１と同様である。
【図面の簡単な説明】
【００２７】
【図１】本考案交通安全兼防犯ブザーの実施例１を示す平面図である。
【図２】実施例１において、吊り下げ用の紐状体の一部分の拡大図である。
【図３】実施例１に係る交通安全兼防犯ブザーの使用状態の一例を示す説明図である。
【図４】本考案交通安全兼防犯ブザーの実施例２を示す平面図である。
【符号の説明】
【００２８】
１  ブザー本体
２  スイッチ
３  吊り下げ用の紐状体
４  紐状体に施された反射発光層
５  紐状体用のスナップ
６  紐状体用のホルダ
１０  ブザー本体に施された反射発光層
【図１】
0003102562.tif 000003
【図２】
0003102562.tif 000004
【図３】
0003102562.tif 000005
【図４】
0003102562.tif 000006